(57)【要約】【課題】便容器収納部の上開口縁部とこの上に載置される便容器の上開口縁部の間から屎尿が漏れ出すことを防止できる可搬便器を提供する。【解決手段】上方に開口する便容器収納部５３が設けられた便器外郭３を備える。便容器収納部５３の上開口縁部に懸架されて便容器収納部５３に収納される便容器１９を備える。便容器１９の上開口縁部上に配置される便座４を備える。便座４の内周部４９に便容器１９の上開口縁部の内面に沿って配置されて便容器１９の上開口縁部とこの上方の便座４との間を覆う屎尿漏れ防止部５０が形成される。【選択図】図１
2012152256.tif 000002
【特許請求の範囲】
【請求項１】
上方に開口する便容器収納部が設けられた便器外郭と、前記便容器収納部の上開口縁部に懸架されて前記便容器収納部に収納される便容器と、この便容器の上開口縁部上に配置される便座を備え、前記便座の内周部に前記便容器の上開口縁部の内面に沿って配置されて便容器の上開口縁部とこの上方の便座との間を覆う屎尿漏れ防止部が形成されたことを特徴とする可搬便器。
【請求項２】
前記便座は周方向と直交する断面形状が下方に開口する略逆Ｕ字状の座部を有し、この座部の内周部を外周部よりも下方に突出し、この突出部分で前記屎尿漏れ防止部が構成されたことを特徴とする請求項１に記載の可搬便器。
【発明の詳細な説明】
【技術分野】
【０００１】
本発明は便容器を備えた可搬便器に関する。
【背景技術】
【０００２】
従来から、老人、身体障害者、病人等が利用する介護用の便器として、設置位置を容易に変更できる可搬便器が利用されている。
【０００３】
特許文献１に示される便器は、上方に開口する便器外郭と、便器外郭上に懸架されて便器外郭内に収納される便容器と、便容器の上開口縁部上に配置される便座を備えている。
【０００４】
ところで、このように便器外郭に便容器を収納した可搬便器にあっては、便容器の上開口縁部とこの上方に配置される便座との間に隙間が形成される。このため、前記隙間から屎尿が外側に出て、便容器収納部の上開口縁部とこの上に載置される便容器の上開口縁部の間から漏れ出す恐れがある。
【先行技術文献】
【特許文献】
【０００５】
【特許文献１】特開平８−１６４０８９号公報
【発明の概要】
【発明が解決しようとする課題】
【０００６】
本発明は前記事情に鑑みてなされたものであって、便容器収納部の上開口縁部とこの上に載置される便容器の上開口縁部の間から屎尿が漏れ出すことを防止できる可搬便器を提供することを課題とする。
【課題を解決するための手段】
【０００７】
前記課題を解決するために、本発明の可搬便器は、上方に開口する便容器収納部が設けられた便器外郭と、前記便容器収納部の上開口縁部に懸架されて前記便容器収納部に収納される便容器と、この便容器の上開口縁部上に配置される便座を備え、前記便座の内周部に前記便容器の上開口縁部の内面に沿って配置されて便容器の上開口縁部とこの上方の便座との間を覆う屎尿漏れ防止部が形成されたことを特徴とする。
【０００８】
また、前記便座は周方向と直交する断面形状が下方に開口する略逆Ｕ字状の座部を有し、この座部の内周部を外周部よりも下方に突出し、この突出部分で前記屎尿漏れ防止部が構成されることが好ましい。
【発明の効果】
【０００９】
本発明にあっては、便容器収納部の上開口縁部とこの上に載置される便容器の上開口縁部の間から屎尿が漏れ出すことを防止できる。
【図面の簡単な説明】
【００１０】
【図１】本実施形態の便器外郭の前側上端部分を示す側面断面図である。
【図２】可搬便器の斜視図である。
【図３】便蓋を閉じ位置に配置した際の可搬便器の斜視図である。
【図４】図３において便座の図示を省略した図である。
【図５】可搬便器の側面断面図である。
【図６】可搬便器の正面断面図である。
【図７】可搬便器の一部破断した斜視図である。
【図８】便器外郭の斜視図である。
【図９】台座の斜視図である。
【発明を実施するための形態】
【００１１】
以下、本発明を添付図面に基づいて説明する。図２に示されるように、本実施形態の可搬便器１は、床上に配置される台座２と、台座２単独で支持される便器外郭３と、便器外郭３の後端部に左右軸回りに回動自在に連結される、便座４及び便蓋５と、便器外郭３の内側に設けられる汚物受け６を備えている。なお、前記「左右軸回り」とは、回転軸方向が左右方向と平行であることを意味する。
【００１２】
可搬便器１は、便器外郭３の後端部上に立設される背もたれ７と、便器外郭３の左右両側端部に立設される高さ調節可能な肘掛け８を備えた、椅子型の便器となっている。また、可搬便器１は、トイレットロール９を支持するためのペーパーホルダー１０もしくはペーパーハンガー１１を備えており、これらペーパーホルダー１０もしくはペーパーハンガー１１は便器外郭３に着脱自在に取り付けられている。また、可搬便器１は、各構成部品をポリプロピレン等の合成樹脂を用いて形成することで軽量化を図っており、容易に移動できるようになっている。
【００１３】
図６等に示されるように、便器外郭３は、便器上面部を構成する上外郭体１２と、便器外周面部を構成する下外郭体１３を有している。
【００１４】
下外郭体１３は上外郭体１２を受ける浅底容器状の受部１４と、受部１４の底部中央から下方に突出する円筒状の接続筒部１５で構成されている。上外郭体１２はその周縁部が受部１４の周縁部上に載置され、この状態で下外郭体１３に取り付けられている。
【００１５】
図８に示されるように、上外郭体１２の上面の左右方向中央部には下方に凹没した凹没部１６が形成されている。また、上外郭体１２の平面視における中央位置には凹没部１６の底部中央を上下に貫通する上開口１７が形成されている。
【００１６】
汚物受け６は、上開口１７を介して、図５等に示されるように便器外郭３内に収納されている。汚物受け６は、屎尿を受ける便容器１９と、便容器１９が収納される防汚容器２０とで構成された二重容器からなる。図５中２１は用便後における便容器１９の上開口を閉塞する容器蓋であり、容器蓋２１は用便時に便容器１９から取り外される。なお、取り外した容器蓋２１は、図５に二点鎖線で示すように台座２上に起立させることができる。
【００１７】
防汚容器２０の上縁部には外方に突出した防汚容器被載置部２２が周方向の全長に亘って形成されている。防汚容器２０は上開口１７を介して便器外郭３内に出し入れ可能に挿入されている。
【００１８】
防汚容器２０は、防汚容器被載置部２２を便器外郭３の上開口１７の周縁部を含む凹没部１６の底部上に載置することで懸架されている。すなわち、本実施形態では、防汚容器２０によって便容器１９を収納する便容器収納部５３が構成されている。なお、本実施形態では便容器収納部５３を便器外郭３と別体の防汚容器２０で構成したが、これに限定されるものではなく、便容器収納部を便器外郭３と一体に形成してもよい。
【００１９】
防汚容器被載置部２２の内周縁部は外周部よりも一段凹んだ便容器載置部２３となっている。
【００２０】
便容器１９の上縁部には、外方に突出した後に垂れ下がった便容器被載置部２４が周方向の全長に亘って形成されている。この便容器１９は防汚容器２０内に上方から出し入れ可能に挿入され、便容器被載置部２４を防汚容器２０の便容器載置部２３の内周部上に載置することで、防汚容器２０に懸架されている。
【００２１】
便容器１９の上端部には便容器１９の左右両端部間に跨る吊手２６（図４参照）が左右軸回りに回動自在に取り付けられている。吊手２６を把持することで防汚容器２０から便容器１９を容易に出し入れできる。
【００２２】
また、前記防汚容器被載置部２２の外周部は、図１に示されるように、便容器被載置部２４よりも外方に突出すると共に一段上方に位置している。
【００２３】
図９に示されるように、台座２は、床上に配置される台座本体２７を備えている。台座本体２７は上方に開口する台座筒部２８を有し、台座筒部２８の下端部には外方に突出して床に接地される接地部２９が形成されている。接地部２９は台座筒部２８の前端部を除く外周に亘って形成されている。接地部２９の後端部には複数のキャスター３０が設けられ、このキャスター３０を利用して可搬便器１を床上で走行することができる。
【００２４】
台座２は、平面視中央部に便器外郭３を支持する支持筒３３を備えている。支持筒３３は台座筒部２８と同心で台座筒部２８の底部から上方に向けて突出した状態で台座本体２７に取り付けられている。
【００２５】
台座筒部２８とこの内側に配置された台座筒部２８の間には、平面視円環状で上方に開口する筒部挿入溝３４が形成されている。図６のように、筒部挿入溝３４には便器外郭３の接続筒部１５が挿入され、接続筒部１５は支持筒３３の外側に嵌まり込んでいる。接続筒部１５は支持筒３３によって上下位置調節可能に支持されており、接続筒部１５の支持筒３３に対する上下位置を調節することで、便器外郭３の高さを利用者の体格等に応じて変更できるようになっている。
【００２６】
図７に示されるように、便器外郭３は、凹没部１６の底面部の後端部上に設けられた連結体４４を有している。連結体４４には便座４及び便蓋５が回動自在に取り付けられている。連結体４４は便器外郭３に着脱自在に取り付けられ、便座４及び便蓋５を取り付けた状態で便器外郭３から取り外せるようになっている。
【００２７】
次に便座４について説明する。なお、以下の便座４の説明では、特に記載する場合を除き、図２のように便座４を便器外郭３上の使用位置に配置した際における方向を基準にして説明する。
【００２８】
便座４は、平面視環状で中央に前後に長い略楕円形状の便座開口４５が形成された座部４８と、座部４８から後方に突出した便座被連結部４６を有している。便座被連結部４６は、連結体４４の前部に形成された便座連結部４７（図７参照）に左右軸回りに回動自在に連結されている。便座４は、図２のように前方に倒して防汚容器２０の防汚容器被載置部２２（図５参照）に載置した使用位置から、便器外郭３の後端部上に起立させた非使用位置までの範囲で回動できるようになっている。なお、使用位置の便座４は便器外郭３に載置されるものであってもい。また、非使用位置における便座４は、背もたれ７又は便器外郭３のいずれかで支持される。
【００２９】
図１のように便座４の座部４８はその周方向に直交する断面形状が下方に開口する略逆Ｕ字状に形成されている。座部４８の内周面を構成する内周部４９は、周方向の全長に亘って便座４外周面を構成する外周部５２よりも下方に突出し、この突出部分により筒状の屎尿漏れ防止部５０が形成されている。
【００３０】
前記使用位置に配置された便座４は、前記防汚容器２０の防汚容器被載置部２２の外周部上に載置され、便容器１９の便容器被載置部２４上に配置される。この使用位置に配置された便座４の屎尿漏れ防止部５０は、便容器１９の上開口縁部の内側に配置されて、便容器１９の上開口縁部とこの上方の便座４との間を内側から覆う。
【００３１】
なお、座部４８内には便座４を加温するヒーター等の加熱手段が設けられて暖房便座とされる場合があり、この場合は座部４８の外周部５２の下端からこれに対向する内周部４９の面に至り、座部４８の下開口を閉塞する板材により前記加熱手段が覆われる。
【００３２】
また、図５のように便蓋５は前記使用位置に配置された便座４を上側から覆う。便蓋５の外周縁部は下方に突出した垂下部５１となっている。便座４を覆う位置に配置された便蓋５の垂下部５１は、前記防汚容器２０の防汚容器被載置部２２における、使用位置の便座４よりも外側位置に載置される。このため、垂下部５１によっても屎尿漏れを防止することができる。
【００３３】
以上説明した本実施形態の可搬便器１は、便座４の内周部４９に、便容器１９の上開口縁部の内面に沿って配置されて便容器１９の上開口縁部とこの上方の便座４との間を覆う屎尿漏れ防止部５０が形成されている。このため、屎尿が、便座４や便容器１９の内側から、便容器１９の上開口縁部とこの上方に配置される便座４との間に至ることを屎尿漏れ防止部５０によって防止でき、結果、防汚容器被載置部２２や外部に屎尿が漏れ出すことを防止できる。
【００３４】
また、本実施形態の便座４は周方向と直交する断面形状が下方に開口する略逆Ｕ字状の座部４８を有し、座部４８の内周部４９を外周部５２よりも下方に突出し、この突出部分で屎尿漏れ防止部５０が構成されている。このようにすると、座部４８の内周部４９を下方に延ばすだけで、座部４８を支障なく座ることができる形状に保ちながら簡単に屎尿漏れ防止部５０を形成できる。
【符号の説明】
【００３５】
１  可搬便器
３  便器外郭
４  便座
１９  便容器
４８  座部
４９  内周部
５０  屎尿漏れ防止部
５２  外周部
５３  便容器収納部
【図１】
2012152256.tif 000003
【図２】
2012152256.tif 000004
【図３】
2012152256.tif 000005
【図４】
2012152256.tif 000006
【図５】
2012152256.tif 000007
【図６】
2012152256.tif 000008
【図７】
2012152256.tif 000009
【図８】
2012152256.tif 000010
【図９】
2012152256.tif 000011